【手続補正書】
【提出日】令和1年7月16日(2019.7.16)
【手続補正１】
【補正対象書類名】特許請求の範囲
【補正対象項目名】全文
【補正方法】変更
【補正の内容】
【特許請求の範囲】
【請求項１】
複数のプレイヤが共同して参加する共同イベントを連続して実行可能な上限回数を含む、前記共同イベントを発生させるための第１制御信号を、前記複数のプレイヤのうち第１プレイヤの端末から受け付ける場合、前記第１プレイヤに対応づけられた所定のパラメータに基づいて前記共同イベントの発生が可能と判定されたとき、前記第１プレイヤに対応づけられた所定のパラメータを消費するとともに前記第１プレイヤを参加者として前記共同イベントを発生させる共同イベント発生管理部と、
前記上限回数に基づいて、前記共同イベントに参加可能なプレイヤの上限数を決定するプレイヤ数決定部と、
前記第１プレイヤ以外の他のプレイヤの端末から前記共同イベントへの参加を希望するためのリクエストを受け付ける場合、前記他のプレイヤに対応づけられた所定のパラメータと、決定された前記上限数とに基づいて前記他のプレイヤの前記共同イベントへの参加が可能と判定されたとき、前記第２プレイヤに対応づけられた所定のパラメータを消費するとともに前記他のプレイヤの前記共同イベントへの参加を許可する共同イベント参加管理部と、
前記共同イベントへの参加が許可された複数のプレイヤのうちいずれかのプレイヤに前記共同イベントの実行権限を付与する権限管理部と、
前記実行権限が付与されたプレイヤの端末から前記共同イベントの実行指示を受け付けた場合に、前記共同イベントの実行を開始する共同イベント実行制御部と、
前記共同イベントの進捗状況に応じて、前記共同イベントに参加したプレイヤごとに報酬を提供する報酬提供部と、
をコンピュータに実現させるための情報処理プログラムであって、
前記権限管理部は、前記共同イベントが終了するたびに、前記実行権限が付与された前記いずれかのプレイヤから前記共同イベントの前記実行権限を剥奪し、過去に前記実行権限が付与されたプレイヤ以外のプレイヤへ前記実行権限を付与し、
前記共同イベント実行制御部は、前記共同イベントへの参加が許可された全てのプレイヤに前記実行権限が付与された場合に、前記共同イベントの繰り返し実行を終了する。
【請求項２】
前記権限管理部は、前記共同イベントの実行回数が前記上限回数より少ない場合であって、前記共同イベントが終了したとき、過去に前記実行権限が付与されたプレイヤ以外のプレイヤへ前記実行権限を付与する、
請求項１に記載の情報処理プログラム。
【請求項３】
前記共同イベント実行制御部は、前記共同イベントへの参加が許可された複数のプレイヤのうち一のプレイヤの端末から、前記共同イベントの繰り返し実行を中止するための第２制御信号を受け付けた場合、当該一のプレイヤ以外のすべてのプレイヤに対して、前記共同イベントの繰り返し実行の中止の可否を問い合わせ、当該一のプレイヤ以外のすべてのプレイヤからの回答結果が所定の条件を満たしたとき、前記共同イベントの繰り返し実行を中止する、
請求項１又は請求項２に記載の情報処理プログラム。
【請求項４】
前記共同イベント参加管理部は、前記共同イベントへの参加が許可された複数のプレイヤのうち一のプレイヤの端末から、当該一のプレイヤ以外のプレイヤのいずれかの参加を禁止するための第３制御信号を受け付けた場合、当該一のプレイヤ及び参加の禁止の対象プレイヤ以外のすべてのプレイヤに対して、前記共同イベントへの参加禁止の可否を問い合わせ、当該一のプレイヤ及び前記対象プレイヤ以外のすべてのプレイヤからの回答結果が所定の条件を満たしたとき、当該対象プレイヤの前記共同イベントへの参加を禁止する、
請求項１乃至請求項３のいずれか一項に記載の情報処理プログラム。
【請求項５】
複数のプレイヤが共同して参加する共同イベントを連続して実行可能な上限回数を含む、前記共同イベントを発生させるための第１制御信号を、前記複数のプレイヤのうち第１プレイヤの端末から受け付ける場合、前記第１プレイヤに対応づけられた所定のパラメータに基づいて前記共同イベントの発生が可能と判定されたとき、第１プレイヤに対応づけられた所定のパラメータを消費するとともに前記第１プレイヤを参加者として前記共同イベントを発生させる共同イベント発生管理部と、
前記上限回数に基づいて、前記共同イベントに参加可能なプレイヤの上限数を決定するプレイヤ数決定部と、
前記第１プレイヤ以外の他のプレイヤの端末から前記共同イベントへの参加を希望するためのリクエストを受け付ける場合、前記他のプレイヤに対応づけられた所定のパラメータと、決定された前記上限数とに基づいて前記他のプレイヤの前記共同イベントへの参加が可能と判定されたとき、第２プレイヤに対応づけられた所定のパラメータを消費するとともに前記他のプレイヤの前記共同イベントへの参加を許可する共同イベント参加管理部と、
前記共同イベントへの参加が許可された複数のプレイヤのうちいずれかのプレイヤに前記共同イベントの実行権限を付与する権限管理部と、
前記実行権限が付与されたプレイヤの端末から前記共同イベントの実行指示を受け付けた場合に、前記共同イベントの実行を開始する共同イベント実行制御部と、
前記共同イベントの進捗状況に応じて、前記共同イベントに参加したプレイヤごとに報酬を提供する報酬提供部と、
を備え、
前記権限管理部は、前記共同イベントが終了するたびに、前記実行権限が付与された前記いずれかのプレイヤから前記共同イベントの前記実行権限を剥奪し、過去に前記実行権限が付与されたプレイヤ以外のプレイヤへ前記実行権限を付与し、
前記共同イベント実行制御部は、前記共同イベントへの参加が許可された全てのプレイヤに前記実行権限が付与された場合に、前記共同イベントの繰り返し実行を終了する、
情報処理サーバ。
【請求項６】
複数のプレイヤのそれぞれが使用する複数の端末と、
前記複数の端末と通信可能に接続された情報処理サーバと、を備える情報処理システムであって、
前記複数の端末のそれぞれは、
前記情報処理サーバからの問い合わせに対する回答を受け付けるための回答画面を生成する画面生成部と、
生成された前記回答画面を介して前記回答を受け付ける回答受付部と、
を備え、
前記情報処理サーバは、
複数のプレイヤが共同して参加する共同イベントを連続して実行可能な上限回数を含む、前記共同イベントを発生させるための第１制御信号を、前記複数のプレイヤのうち第１プレイヤの端末から受け付ける場合、前記第１プレイヤに対応づけられた所定のパラメータに基づいて前記共同イベントの発生が可能と判定されたとき、第１プレイヤに対応づけられた所定のパラメータを消費するとともに前記第１プレイヤを参加者として前記共同イベントを発生させる共同イベント発生管理部と、
前記上限回数に基づいて、前記共同イベントに参加可能なプレイヤの上限数を決定するプレイヤ数決定部と、
前記第１プレイヤ以外の他のプレイヤの端末から前記共同イベントへの参加を希望するためのリクエストを受け付ける場合、前記他のプレイヤに対応づけられた所定のパラメータと、決定された前記上限数とに基づいて前記他のプレイヤの前記共同イベントへの参加が可能と判定されたとき、第２プレイヤに対応づけられた所定のパラメータを消費するとともに前記他のプレイヤの前記共同イベントへの参加を許可する共同イベント参加管理部と、
前記共同イベントへの参加が許可された複数のプレイヤのうち一のプレイヤに前記共同イベントの実行権限を付与する権限管理部と、
前記実行権限が付与されたプレイヤの端末から前記共同イベントの実行指示を受け付けた場合に、前記共同イベントの実行を開始する共同イベント実行制御部と、
前記共同イベントの進捗状況に応じて、前記共同イベントに参加したプレイヤごとに報酬を提供する報酬提供部と、
を備え、
前記権限管理部は、前記共同イベントが終了するたびに、前記実行権限が付与された前記いずれかのプレイヤから前記共同イベントの前記実行権限を剥奪し、過去に前記実行権限が付与されたプレイヤ以外のプレイヤへ前記実行権限を付与し、
前記共同イベント実行制御部は、前記共同イベントへの参加が許可された全てのプレイヤに前記実行権限が付与された場合に、前記共同イベントの繰り返し実行を終了する、
情報処理システム。